(57)【要約】本発明は、個々のウェーハを隔離された環境内のチャンバ相互間で搬送するウェーハ移送システムに関する。一実施形態では、ウェーハは、搬送エンクロージャ内で走行するウェーハシャトルによって搬送される。搬送エンクロージャの内部は、周囲ウェーハ製造施設の周囲条件から隔離されている。かくして、ウェーハ製造施設全体についてクリーンルーム環境を維持する必要なく個々のウェーハをウェーハ製造施設内全体にわたって搬送することができる。ウェーハシャトルを種々の技術、例えばマグネチックレビテーション（磁気浮上装置）又はエアベアリング（空気軸受）（なおこれらには限定されない）によって推進させることができる。ウェーハシャトルは又、２以上のウェーハを同時に搬送することができる。搬送エンクロージャの内部は又、真空下にあってもよく、ガス充填状態であってもよく、或いは濾過空気作用下にあってもよい。
2005508085.tif 000002
【特許請求の範囲】
【請求項１】
ウェーハを処理ステーション相互間で移送するウェーハ搬送システムであって、ウェーハ搬送装置と、多数のレールを備えたウェーハ搬送エンクロージャとを有し、前記ウェーハ搬送装置は、前記レールに沿って走行することができ、前記ウェーハ搬送システムは、処理ツールと前記ウェーハ搬送エンクロージャとの間に設けられていて、隔離弁を備えた移行チャンバと、前記軌道に沿う前記ウェーハ搬送装置の運動を制御する駆動装置とを更に有していることを特徴とするウェーハ搬送システム。
【請求項２】
前記レールは、磁気レールであることを特徴とする請求項１記載のウェーハ搬送システム。
【請求項３】
前記ウェーハ搬送装置は、持上げ磁石及び推進磁石を有していることを特徴とする請求項１記載のウェーハ搬送システム。
【請求項４】
前記持上げ磁石と前記磁気レールは、磁気結合を形成していることを特徴とする請求項１記載のウェーハ搬送システム。
【発明の詳細な説明】
【０００１】
優先権主張
本願は、２００１年８月３１日に出願された米国仮特許出願第６０／３１６，７２２号（発明の名称：UNIVERSAL MODULAR PROCESSING INTERFACE SYSTEM ）の優先権主張出願であり、かかる米国仮特許出願明細書の記載内容を本明細書の一部を形成するものとしてここに引用する。
発明の分野
本発明は一般に、処理ツール相互間でのウェーハの搬送に関する構築的方式に関する。本発明は特に、個々のウェーハ又はウェーハのパケットを隔離された環境又は大気環境内で搬送するウェーハ搬送システムに関する。
【０００２】
発明の背景
半導体ウェーハの損傷の結果として相当な金銭上の損失が生じる場合があるので、半導体ウェーハの取扱いには相当な注意を払わなければならない。半導体ウェーハは、これに被着された層の純度を保つために実質的に粒子汚染の無いクリーンルーム環境内に保持されなければならない。クリーンルーム環境の要件により、半導体ウェーハの取扱いには別途制約が加わる。
汚染要因物に対する保護を一段と高めるため、半導体ウェーハは典型的には、これらが製造施設内全体を通って運ばれているとき、密閉された搬送容器、例えばＳＭＩＦポッド内に保持されて処理機械の外部の環境への暴露が最小限に抑えられる。製造施設は通常、各々が幾つかの処理機械を含む複数のベイの状態に組織化されている。ポッド内のウェーハを１以上の機械のところで処理した後、ポッドはベイから出て、次の処理ベイに搬送される。かくして、製造施設には本質的に２種類の搬送ループ、即ち、ポッドをベイ相互間で移動させる工程間ループとポッドを単一のベイの処理機械相互間で移動させる工程内ループがある。
【０００３】
半導体処理分野では、製造施設は典型的には、各々が幾つかの処理機械１６を備えた複数のベイ１８の状態に組織化されている。図１は、幾つかの処理機械１６を備えたベイ１８の一例を示しており、かかる処理機械としては、ウェーハ上に膜を被着させる装置、ウェーハを種々のステージで洗浄すると共に（或いは）状態調節する装置等が挙げられるが、これらには限定されない。当該技術分野において知られているように、処理機械１６の入口は、ロードポート２２を有している場合が多い。ポッド１２をロードポート２２上にいったん載置すると、ロードポート２２は、ポッド１２を処理機械１６に向かって自動的に前送りしてウェーハを保護環境内で搬送ポッド又は他の容器から取り出すことができるようになっている。この従来型移送システムは、ロードポート２２を備えていない処理ステーション１６と併用できる。
【０００４】
種々の搬送システムが、ポッドを製造施設の工程間ループに沿ってベイからベイに搬送するために用いられている。製造施設の工程間ループの交通量に鑑みて、工程間搬送は一般に、天井又は頭上搬送システムにより達成される。ポッドは、ポッドを受け入れてこれらポッドを工程内ループに自動的に送るロボット式貯蔵庫（これは、「ストッカ（stocker ）」と呼ばれる場合が多い）に送られる。或るシステムでは、工程間搬送システムは、工程内搬送システムに結合されていて、システム相互間での直接的な移送が可能になっている。しかしながら、直接的な移送は、互換性のある頭上搬送システムが工程内ループに用いられている場合にのみ達成可能である。
ベイ内では、搬送ポッドを機械から機械に運搬し、ウェーハを処理のために機械によりポッドから降ろすことができる位置まで送る必要がある。機械入口は、ロードポートを備えている場合が多く、かかるロードポートのところで、ウェーハは保護環境内において搬送ポッドから自動的に取り出すことができる。ポッドをロードポートに移送するには、ポッドを工程間コンベヤとベイとの間で移動させる場合よりも高い精度及び制御がポッドに対して必要になる。搬送ポッドをベイ内の互いに異なる処理機械相互間で移動させるのに種々の方法が採用されている。
【０００５】
例えば、多くのシステムは、作業者が二輪車を用いて搬送ポッドをポートからポートに移送するというやり方に頼っている。作業者は手作業でポッドをポートに持上げる場合がある。変形例として、作業者は、手動ロボットリンク又は他の持上げ装置を作動させてポッドをポートに移動させ、処理が終わった後、搬送ポッドを二輪車に戻す場合がある。作業者は次に、二輪車を次の機械の所まで移動させ、上記プロセスを繰り返す。ポッドを機械から機械に搬送するために作業者に頼ることは、時間がかかり、且つ非効率的である。作業者が新たなウェーハのポッドをロードポート内に位置決めするために居合わせていない場合が多く、機械は、待機モードとなり、機械が稼働する時間が減少すると共に処理施設の全体的な効率が低下する。ポッドを落下させ又はポッドを鋭いジョルトに当てるとウェーハが損傷する場合があるので、持上げ装置をロードポートに正しく位置合わせするよう注意を払わなければならない。搬送ポッドを機械相互間で自動的に移動させる手段が望ましい。
別の工程内搬送システムは、ポッドを機械相互間で運搬し、ポッドをロードポート内に移動させる自走型搬送車（ＡＧＶ）を利用している。ＡＧＶを用いると、ベイ内に作業者が居る必要性が小さくなり、ベイを通ってポッドを移動させる速度を増大させることができる。しかしながら、ベイのサイズにより、単一のベイ内で稼働できるＡＧＶの数が制限され、機械は、ＡＧＶが処理済みウェーハのポッドを取り出し、新たなウェーハのポッドを移送ベイ内に配置するのを待つ待機モードの状態になる。ポッドを迅速に送り、処理機械を待機モードのままにしないでポッドを処理機械から取り出すよう使用できる自動化システムが望ましい。
【０００６】
頭上モノレールシステムも又、ポッドを工程内ループに沿って搬送するために用いられている。ボノラに付与され、アシスト・テクノロジーズ・インコーポレイテッドに譲渡された米国特許第６，３０８，８１８号明細書（発明の名称：TRANSPORT SYSTEM WITH INTEGRATED TRANSPORT CARRIER AND DIRECTORS）は、かかるシステムの一例を記載しており、かかる米国特許明細書の記載内容全体を本明細書の一部を形成するものとしてここに引用する。頭上モノレールシステム５０の実施形態が図２に示されている。頭上モノレールシステム５０は、コンベヤ１４及びＳＭＩＦポッド１２を装置前端部モジュール（“ＥＦＥＭＳ”）相互間で案内するダイレクタ５６を有している。
一例として挙げるに過ぎないが、コンベヤ１４は、主ループ上の交通量を遮らないでポッド１２を主コンベヤループから一時的に取り出すためにベイ１８の他の領域への近道として使用できる１以上の断面を更に有する場合がある。コンベヤ１４の形態は、特定の製造施設の制約に応じて相当なばらつきがある。
【０００７】
図３は、従来型コンベヤ１４の一実施形態を示している。コンベヤは、ポッド１２がコンベヤ経路に沿って移動しているときに搬送ポッド１２を支持する１対のレール３２，３４を有している。駆動レール３２は、ポッド１２をレール３２，３４に沿って任意的に案内しながら推進する。ポッド１２を移動させる推進動力は、駆動レール３２を介して供給される。動力を従来型手段により駆動レール３２に供給することができる。変形例として、動力を動力バスにより駆動レール３２に供給してもよい。レール３４は、搬送ポッド１２を支持する遊び又は支持レールであり、ポッド１２は、これがコンベヤ経路に沿って移送されているときに水平の向きの状態に保持されるようになっている。駆動レール３２とは異なり支持レール３４を用いて搬送ポッド１２をこれがコンベヤシステム１４に沿って移動しているときに案内するのがよいが、このようにするかどうかは任意である。
ホイスト又はこれに類似した装置を用いてポッドを処理機械のロードポート上に下降させることができる。ポッドをモノレールから首尾よく処理機械に移送するためには、ポッドをロードポートに正確に位置合わせし、ポッドの揺動を最小限に抑えるような制御された仕方でポッドをロードポート上に下降させる必要がある。処理後、ポッドを上昇させて次の機械に搬送する。ポッドの上昇と下降の繰り返しは難題である。
【０００８】
上述した搬送システムの全てに関し、ウェーハは、隔離された容器、即ち、ＳＭＩＦポッド内で移動し、ウェーハが有害な粒子による汚染を生じないようにすることが必要である。ウェーハのバッチを新たな処理ツールに搬送するときはいつでも、ポッドは、ポッドの開放に先立って処理ツールの前端部とシールを形成しなければならない。これと同様に、ウェーハのバッチを処理し、ポッド内に戻す場合、ポッドを次の処理ツールに搬送する前にポッドドアを交換しなければならない。
ウェーハをポッド内で搬送する場合、ウェーハのバッチは、製造プロセス全体を通じて同一のポッド内に留まる必要がある。ウェーハを点検し、又はウェーハが次の処理ツールに到達しなければならないときはいつでも、ＳＭＩＦポッドは、ウェーハを汚染要因物から隔離するためにツールとシールを形成しなければならず、ロボットがウェーハをＳＭＩＦポッドから取り出す前にポッドドアを取り外さなければならない。これと同様に、ロボットは、ウェーハをＳＭＩＦポッド内に戻さなければならず、ＳＭＩＦポッドの密封及び装填を行って初めてＳＭＩＦポッドは次の処理ツールに進むことができる。これは非常に時間のかかる作業である。
【０００９】
ＳＭＩＦポッドを搬送する移送システムを用いることに起因して多くの課題が生じる。ベンダーは、小さなバッチのウェーハについては迅速な一巡時間を必要とする場合が多い。これらウェーハは、ウェーハ製造施設内の処理ステーションの全てを通る必要は無い場合がある。ＳＭＩＦポッドを小さなバッチの前に通すことができなければ、小さなバッチの処理を加速させることができない。ＳＭＩＦポッド内で搬送させなければならないウェーハをランダムに送り出すことはできない。
効率がよく且つ迅速な材料搬送の必要性と関連した人間工学的及び安全上の問題は、３００ｍｍウェーハ世代及びその次世代のために材料取扱いシステムを構成する上での主要な動因となろう。自動化材料取扱いシステムは、投資からの許容限度の利益をもたらさなければならず、全てのインライン製造機器と直接インタフェースを取らなければならない。３００ｍｍ用の機器サイズの増大により、施設内でのフロアスペースの利用性が高まらなければならない。高いウェーハ貯蔵密度、短いリードタイム及び据え付け時間、プロセスと計測機器の統合によるフロアスペースの良好な利用をもたらす解決策を開発する必要がある。
【００１０】
工程間搬送方式と工程内搬送方式を、一体化システムに統合すれば有利である。かかるシステムは、直接の又はツール間搬送システムを提供する。ウェーハの処理量が増大することになろう。ツール間搬送システムは、施設での拡張性、融通性及び規模拡大性に対応できるよう設計されたものでなければならない。
ＳＭＩＦポッドを必要とすることなく個々のウェーハを密閉環境内で搬送する方式には幾つかの利点がある。第１に、システムの処理量を大幅に向上させることができる。ＳＭＩＦポッドを不要にすることにより、製造業者はウェーハをランダムに送り出し、ウェーハの処理時間を加速させ、計測ステーションをプロセスシーケンスに組み込むことができる。ウェーハの小さなロットを容易に処理でき、しかもプロセスシーケンス中で加速させることができる。本発明は、これら利点を奏する。
【００１１】
発明の概要
本発明の一特徴は、個々のウェーハを隔離された環境内で搬送するウェーハ搬送システムを提供することにある。本発明の別の特徴は、ウェーハをシャトルで搬送するウェーハ搬送システムを提供することにある。一実施形態では、ウェーハシャトルは、少なくとも１つのウェーハを特定の処理ステーションに搬送することができ、それによりウェーハは処理ステーション内に積み込まれる。
本発明の更に別の特徴は、ウェーハをウェーハパケット内で搬送するウェーハ搬送システムを提供することにあり、それによりクラス１００環境の下で維持しなければならないクリーンルームの量が一段と減少する。一実施形態では、ウェーハパケットは、多数のウェーハを隔離された環境内に貯蔵し、ウェーハパケットをシャトル装置によりツールからツールに搬送する。
【００１２】
本発明の更に別の特徴は、少なくとも部分的にフレーム又は構造体により摺動自在に取り付けられるウェーハ搬送システムを提供することにある。一実施形態では、ウェーハ搬送システムを垂直方向に調整し、ウェーハ搬送システムを支持するフレームに固定することができる。
本発明の更に別の特徴は、清浄なやり方でウェーハを処理ステーションに導入したりウェーハを処理ステーションから取り出すことができるウェーハ搬送システムを提供することにある。
本発明の別の特徴は、ウェーハを特定の処理ステーションに出し入れするウェーハシャトルを有するウェーハ搬送システムを提供することにある。一実施形態では、ウェーハシャトルは、これが処理ステーションの開口部に到達すると回転してウェーハを処理ステーション内に移送するようウェーハを支持する。
本発明の更に別の特徴は、周囲処理ステーション及び（又は）ウェーハファブの特定の要件に合わせて構成できる「建築ブロック」組立体となるウェーハ搬送システムを提供することにある。
【００１３】
本発明の別の特徴は、高密度ウェーハ貯蔵及び（又は）格納を可能にするウェーハ搬送システムを提供することにある。
本発明の別の特徴は、空のシャトルが高速で搬送システムの開始部に戻ることができるようにする戻し経路又はループを有するウェーハ搬送システムを提供することにある。一実施形態では、搬送システムは、ウェーハを処理ステーション内に堆積させた後、空のシャトルが通ることができる別個の戻し経路又はループを有する。
本発明の更に別の特徴は、多数のシャトルを隔離された環境内で同時に搬送できるウェーハ移送システムを提供することにある。一実施形態では、ウェーハ移送システムは、シャトルが別の軌道に移ることができるようにする多数の割り出しステーションを有している。
本発明の更に別の特徴は、受動的に安定なウェーハシャトルを有するウェーハ搬送システムを提供することにある。一実施形態では、ウェーハシャトルは、可動部品の無いマグネチックレビテーションシステム（磁気浮上装置）により駆動される。システムが動力を失うと、シャトルはシャトルのベースのところに設けられた永久磁石により支持されることになる。
【００１４】
本発明の別の特徴は、ウェーハシャトルをウェーハ移送位置に正確に配置する制御システムを提供することにある。一実施形態では、ウェーハシャトルがウェーハ移送ステーションに近づくと、サーボ制御が、マグネチックレビテーションシステムを無効にし、ウェーハシャトルの運動を制御する。別の実施形態では、光学認識システムが用いられ、この光学認識システムは、マグネチックレビテーションシステムがウェーハシャトルを正確に位置決めするのを助ける。
本発明の別の特徴は、ウェーハシャトルをウェーハ搬送エンクロージャの外部に設置されたビークルにより駆動するウェーハ移送システムを提供することにある。一実施形態では、マグネチックビークルがウェーハ搬送エンクロージャの外部に設けられている。マグネチックビークルは、ウェーハ搬送エンクロージャの底部に沿って走行してウェーハ搬送エンクロージャ内に配置されたウェーハシャトルを駆動する。
【００１５】
発明の詳細な説明
ウェーハ移送システム１００は、ツール間ウェーハ搬送システムを構成する構築的方式である。以下に詳細に説明するように、ウェーハ移送システム１００の好ましい実施形態は、個々のウェーハを隔離された環境内で搬送する。ウェーハ移送システム１００の他の実施形態は、多数のウェーハ、ウェーハのパケット又はウェーハカセットを処理ステーション相互間で搬送することができる。
図４は、ウェーハ移送システム１００の第１の実施形態を示している。一般に、ウェーハ搬送システム１００は、プロセスシーケンスが完了するまでウェーハ１３を最初にＥＦＥＭ２２から搬送し、ウェーハ１３をＥＦＥＭ２２に戻さないでチャンバ１６相互間を搬送するよう設計されている。ウェーハ搬送エンクロージャ１０２は、これら仕事の全てを行う隔離されたクリーンな環境を提供する。図４に示すように、ウェーハ搬送エンクロージャ１０２の第１の実施形態は、少なくとも１つのウェーハ搬送管１０４及び各チャンバ１６に固定された移行チャンバ１０８を有している。ウェーハ搬送エンクロージャ１０２が単一のウェーハ搬送管１０４から成る場合、ウェーハ搬送管１０４は、各チャンバの開口部１７と整列した開口部１０５を有することになる。
【００１６】
好ましい実施形態では、ウェーハ移送システムは、モジュール式のものであり、ウェーハが通ることができる隔離された環境を構成する「建築ブロック」コンセプト又は項地区的方式を形成する。好ましい実施形態では、ウェーハ搬送エンクロージャ１０２は、モジュール式のものである。したがって、ウェーハ搬送管１０４及び移行チャンバ１０８は、汎用建築ブロックである。
「建築ブロック」アーキテクチャを構築するため、ウェーハ搬送管１０４の各端部及び移行チャンバ１０８のところに設けられた取付け面は、好ましくは標準型の汎用取付け面である。このように、ウェーハ搬送エンクロージャ１０２の各コンポーネント（即ち、ウェーハ搬送管１０４及び移行チャンバ１０８）は、互いに固定されて気密シールを形成することができる。別の実施形態を開示するにつれて明らかになるように、ウェーハ搬送エンクロージャ１０２には多くの形態が考えられる。
【００１７】
チャンバ１６は、ウェーハ製造施設内に必要な任意形式の処理ステーションから成ることができる。一例を挙げるに過ぎないが、チャンバ１６は、点検ツール、処理ツール、計測ツール、位置合わせツール又はストッカから成るのがよい。チャンバ１６が他の処理ステーションを有することは本発明の精神及び範囲に含まれる。チャンバ１６は、ウェーハを互いに異なるウェーハ搬送管１０４相互間で移送するウェーハ移送チャンバとしても機能することができる（例えば、ウェーハを２つの別々のウェーハ移送システム１００相互間で移送することができる）。ウェーハ移送システム１００は、図４に示す数よりも少ない又は多い数のチャンバを有することができる。
移行チャンバ１０８が、各チャンバ１６とウェーハ搬送エンクロージャ１０２との間に設けられている。ウェーハ搬送エンクロージャ１０２と移行チャンバ１０８とチャンバ１６を互いに固定することにより、気密システムが形成され、かかる気密システムにより、ウェーハをＥＦＥＭ２２と各チャンバ１６との間で移送することができる。移行チャンバ１０８は好ましくは、少なくとも１つの隔離弁３０を有している。隔離弁３０は、閉じられると、ウェーハ搬送エンクロージャ１０２とチャンバ１６の両方の中に隔離されたクリーンな環境を維持するよう機能する。
【００１８】
移行チャンバ１０８は、チャンバ１６とウェーハ搬送エンクロージャ１０２を互いに連結するパススルーエンクロージャとしての役目を果たす。移行チャンバ１０８の一機能は、チャンバ１６の内部をウェーハ搬送エンクロージャ１０２の内部から隔離することにある。図４に示すように、移行チャンバ１０８は、チャンバ取付け面１１８及びウェーハ搬送エンクロージャ取付け面１２０を有している。取付け面１１８，１２０は、移行チャンバが取り付けられる表面と気密シールを形成するよう設計されている。
隔離弁３０は好ましくは、閉鎖位置に付勢されている。ウェーハをチャンバ１６とシャトル１１２との間で移送する場合、隔離弁３０は、ウェーハを通過させることができるよう開いていなければならない。２つの別々の環境を維持することにより幾つかの利点が得られる。例えば、２つの環境（例えば、チャンバ１６の内部及びウェーハ搬送エンクロージャ１０２の内部）が共有されているとすれば、システム全体は、チャンバ１６のうち１つがメンテナンス又は修理が行われている間、作動を停止しなければならない。これと同様に、チャンバ１６の内部は、ウェーハ搬送エンクロージャ１０２の一部が交換又は修理されている間、隔離状態のままである場合がある。２つの別々の環境を維持することにより、チャンバ１６内の粒子がウェーハ搬送エンクロージャ１０２に入るのが最小限に抑えられ、又は阻止され、ウェーハ搬送エンクロージャ１０２内の粒子がチャンバ１６に入るのが最小限に抑えられ又は阻止される。
【００１９】
一実施形態では、移行チャンバ１０８は、ウェーハをチャンバ１６とウェーハシャトル１１２との間で移送するウェーハ移送機構（後で説明する）を有するのがよい。この実施形態では、移行チャンバ１０８は好ましくは、２つの隔離弁を有する（図６Ｄ参照）。
ウェーハ搬送システム１００は、多数のウェーハシャトル１１２と共に働くことができる。図４に示すように、ウェーハ移送システム１００は、少なくとも２つのウェーハシャトル、即ちシャトル１１２ａ及びシャトル１１２ｂを有している。後で詳細に説明するように、一例を挙げるに過ぎないが、ウェーハシャトル１１２は主として、ウェーハをチャンバ１６相互間又はチャンバ１６とＥＦＥＭ２２との間で搬送する。多数のウェーハシャトルがウェーハ搬送エンクロージャ１０２内で同時に走行する場合、ウェーハ搬送エンクロージャ１０２は、シャトルが互いに通過したり互いに異なる方向に走行できるよう多数の起動を有することになろう。起動システムについては以下に詳細に説明する。
【００２０】
好ましい実施形態では、モジュール式コンポーネントは全て互いに固定され、気密シールを形成している。気密ウェーハ搬送エンクロージャ１０２は、ウェーハ製造施設の周囲大気条件から隔離された環境を提供することになる。上述したように、クリーンな環境は、ウェーハ１３に接触する場合のある粒子を最小限に抑えるために維持されなければならない。ウェーハ製造施設全体についてクリーンな環境を維持することは、非常に費用が高くつくと共に不必要でもある。ＳＭＩＦポッドと同様に、ウェーハ搬送エンクロージャ１０２の内部の容積は、ウェーハ製造施設全体のサイズの何分の一かである。これよりも小さな容積の空間であれば、クリーンな環境を維持することが容易である。
【００２１】
気密ウェーハ搬送エンクロージャ１０２内に種々のタイプの環境を形成して維持することができる。例えば、種々の環境を設けることができ、かかる環境としては例えば、真空、窒素、濾過空気及び他のガスが挙げられるが、これらには限定されない。ウェーハ搬送エンクロージャ１０２は、ウェーハ搬送エンクロージャ１０２内の環境を維持して調整するための或る手立てを備えなければならない。一実施形態では、各ウェーハ搬送管１０４は、入力／出力ライン１１６を有している（図５参照）。ウェーハ搬送エンクロージャ１０２が真空下にあれば、入力／出力ライン１１６は、真空を維持するための閉鎖システムを構成する。ウェーハ搬送エンクロージャ１０２をガス、例えば窒素で満たす場合、入力／出力ライン１１６は、ガス圧力を維持するための閉鎖システムを提供する。これら閉鎖システムは、環境をモニタして調整するための遠隔モニタシステムを必要とする。真空又はガス環境をモニタするシステムは、当該技術分野においては周知なので、それ以上の説明は不要であろう。センサをウェーハ搬送エンクロージャ１０２内のどこかに設けるのがよい。ただし、センサがウェーハ搬送機構１１２の移動を邪魔しないことを条件とする。
直線移送システム１００の第２の実施形態が、図５に示されている。この実施形態では、ウェーハ搬送エンクロージャ１０２の構成要素としては、ウェーハ搬送管１０４、ウェーハ移送チャンバ１０６及び移行チャンバ１０８が挙げられる。図５は、ウェーハ搬送エンクロージャ１０２の各構成要素が矩形の断面をしていることを示している。各構成要素は、他の断面形状、例えば円形、矩形又は楕円形（これらには限定されない）を有することは本発明の精神及び範囲に含まれる。各ウェーハ搬送管１０４は又、直線状の部分又は構造として示されている。ウェーハ搬送管１０４は、非直線状であってもよい。一例を挙げるに過ぎないが、ウェーハ搬送管１０４は、湾曲したチャネル又は構造から成っていてもよい。
【００２２】
外部形状又は材料とは無関係に、各ウェーハ搬送管１０４は好ましくは、２つの開口した端部を備える中空のエンクロージャである。好ましくは、ウェーハ搬送管１０４の両端部は、同一の取付け面１０５を有している。一実施形態では、取付け面１０５は、ウェーハ移送チャンバ１０６の側部に固定されたフランジである。取付け面１０５は、他の構造から成っていて、ウェーハ移送チャンバ１０６に他の方法で取り付けられ（例えば、溶接され）たものであってもよい。
【００２３】
ウェーハ移送チャンバ１０６は好ましくは、多数の開口部１１０を有している。各開口部１１０は、ウェーハ１３を支持した状態でシャトル１１２が塞がれていない状態の開口部１１０を通過することができるほど大きいものでなければならない。ウェーハ搬送エンクロージャ１０２の形態に応じて、開口部１１０を全て用いる必要は無い。したがって、ウェーハ移送チャンバ１０６はモジュール式のものであり、製造業者はウェーハ搬送エンクロージャ１０２の設計を注文により誂えることができる。一例を挙げるに過ぎないが、図５に示すように、開口部１１０ａ（図示せず）、１１０ｂ（図示せず）及び１１０ｃは、ウェーハ１３をチャンバ１６ａ，１６ｂ相互間で移送するのに用いられる。開口部１１０ｄは、開口部１１０ｃが見えるようにするために閉じられていない。通常、この形態では、開口部１１０ｄは、フランジ１０５に固定され、空気がウェーハ搬送エンクロージャ１０２の内部に流入しないようにする気密シールを形成するプレートを有している。ウェーハ移送チャンバ１０６に多数の開口部１１０を設けることにより、ウェーハ搬送チャンバ１１０は「ハブ」になり、それにより多数の経路が単一の構造から生じることができる。図５は、ウェーハ移送チャンバが４つの開口部を有していることを示している。各ウェーハ移送チャンバ１０６がこれよりも多い数又は少ない数の開口部を有することは本発明の精神及び範囲に含まれる。
【００２４】
ウェーハ移送チャンバ１０６は、ウェーハをシャトル１１２とチャンバ１６との間で移送できるウェーハ移送機構を有するのがよい。各ウェーハ移送チャンバ１０６は、２つのウェーハ移送機構取付け面１１４を備えている。図５に示す組み立て状態のウェーハ搬送エンクロージャ１０２は、取付け面１１４がウェーハ移送チャンバ１０６の頂面に設けられていることを示している。この実施形態では、ウェーハ移送機構は、ウェーハ１３を上から掴む。ウェーハ移送機構は、当該技術分野において知られている任意形式のロボットを有するのがよく、これについてはそれ以上の説明は不要であろう。ウェーハ移送チャンバ１０６は、底面に設けられた取付け面１０４を更に有するのがよい。かかる形態では、ロボットはウェーハ１３を底面から掴むことになろう。
【００２５】
好ましい実施形態では、単一のウェーハがウェーハシャトル１１２によってウェーハ搬送エンクロージャ１０２内全体を搬送される。シャトル１１２は、ウェーハ１３を幾つかの種々の方法で支持することができる。例えば、ウェーハシャトルは、ウェーハ１３の底面に設けられたエッジエクスクルージョン（周辺部除外領域）でウェーハ１３を支持する多数のウェーハ支持体１２１を有するのがよい。変形例として、シャトル１１２は、ウェーハを真空グリップにより支持してもよい。ウェーハ１３を支持する他の方法は、当該技術分野において知られており、これら他の方法をシャトル１１２に組み込むことができる。
図５は、シャトル１１２が単一のウェーハ１３を支持して搬送する状態を示している。シャトル１１２は又、多数のウェーハを同時に搬送し、ウェーハパケット（後で説明する）を搬送し、又はウェーハカセットを搬送することができる。シャトル１１２は、ウェーハ１３を垂直又は水平の向きで支持することができる。
【００２６】
図６Ａ〜図６Ｅは、ウェーハ移送システム１００の幾つかの形態を示している。図６Ａ〜図６Ｅは、取り得る形態を網羅して示すものではない。
図６Ａは、ウェーハをシャトル１１２とチャンバ１６との間で移送する垂直持上げ移送システムを示している。この実施形態では、チャンバ１６は、移行チャンバ２８により分離された状態でウェーハ搬送エンクロージャ１０２の上方に配置されている。シャトル１１２がチャンバ１６の近くで休止すると、ウェーハ１３は、垂直持上げ機構２５０の上に位置決めされる。隔離弁３０が開いた後、垂直持上げ機構２５０は、ウェーハ１３に係合してこれをチャンバ１６内に配置する。隔離弁３０は好ましくは、ウェーハ１３が処理されている間、閉じられる。その目的は、別個独立の環境をチャンバ１６とウェーハ搬送エンクロージャ１０２との間に維持することにある。ウェーハの処理が完了すると、隔離弁３０が開き、垂直持上げ機構２５０がウェーハ１３をチャンバ１６から取り出し、これをシャトル１１２上に戻す。次に、ウェーハ１３を別のチャンバ１６に搬送するのがよい。
図６Ｂは、ウェーハ移送システム１００の別の実施形態を示している。この実施形態では、チャンバ１６及びウェーハ移送システム１００は、ウェーハ１３をチャンバ１６とウェーハ搬送エンクロージャ１０２との間で実質的に水平動作で移送できるように差し向けられている。移行チャンバ２８は、チャンバ１６とウェーハ搬送エンクロージャ１０２との間に設けられている。シャトル１１２がチャンバ１６の近くの完全休止部に来ると、隔離弁３０が開く。ウェーハ搬送エンクロージャ１０２内に設けられた水平移送機構２５０が、ウェーハ１３に係合してこれをチャンバ１６内に配置する。隔離弁３０は、ウェーハ１３をチャンバ１６内に配置し、水平移送機構２５０がウェーハ搬送エンクロージャ１０２内に引っ込んだ後、閉じる。ウェーハの処理が完了すると、水平移送機構２５０は、ウェーハ１３をチャンバ１６から取り出してこれをシャトル１１２上に戻す。
【００２７】
図６Ｃは、ウェーハ移送システム１００の更に別の実施形態を示している。この実施形態では、ウェーハ移送機構２５０がチャンバ１６内に配置されている。シャトル１１２が完全停止部に来ると、隔離弁３０が開き、ウェーハ移送機構２５０がウェーハ１３を取り出してこれをチャンバ１６内に配置することができる。作用は、図６Ｂに示す実施形態について説明した作用とほぼ同じである。
図６Ｄは、ウェーハ移送機構２５０が移行チャンバ１０８内に設けられた本発明の別の実施形態を示している。ウェーハ１３は、図６Ｂ及び図６Ｃに示す実施形態について説明した方法とほぼ同様な方法でチャンバ１６とウェーハ搬送エンクロージャ１０２との間で移送される。しかしながら、ウェーハ移送機構２５０は、移行チャンバ２８内に設けられている。ウェーハ移送機構２５０は、ウェーハ１３のエクスクルージョン領域に沿ってエッジを掴んでもよく、或いは重力保持機構から成っていてもよい。
【００２８】
この実施形態では、第１の隔離弁３０ａが、チャンバ１６の近くに設けられ、第２の隔離弁３０ｂがウェーハ搬送エンクロージャ１０２の近くに設けられている。作用を説明すると、ウェーハシャトル１１２は、ウェーハ１３を第２の隔離弁３０ｂの近くに送る。すると、第２の隔離弁３０ｂが開き、ウェーハ移送機構がウェーハ１３をウェーハシャトル１１２から移行チャンバ１０８内に移送する。次に、第２の隔離弁３０ｂが閉じる。好ましくは、この時点において、移行チャンバ１０８を排気し、又はこれを清浄なガスで満たして移行チャンバ１０８内の環境がクリーンであり、汚染粒子を含まないようにする。次に、第１の隔離弁３０ｂが開き、ウェーハ移送機構がウェーハ１３をチャンバ１６内に移送する。ウェーハ移送機構２５０が完全に移行チャンバ１０８内に位置するその待機位置に戻った後、第１の隔離弁３０ａが閉じる。他のウェーハ用コンポーネント、例えばストッカ（これには限定されない）を移行チャンバ１０８に固定することは本発明の精神及び範囲に含まれる。
【００２９】
図６Ｅは、頂部掴み移送機構であるウェーハ移送機構２５０を示している。この実施形態は、ウェーハ１３を上から掴む。ウェーハを上から掴む技術は、当業者には一般に知られている。一例を挙げるに過ぎないが、ツァン等に付与された米国特許第５，９４７，８０２号明細書（発明の名称：WAFER SHUTTLE SYSTEM）は、半導体ウェーハを第１の位置から第２の位置に動かす水平に差し向けられた移送機構を開示している。
本明細書において開示した実施形態のいずれにおいても、幾つかの種々の方法でウェーハ搬送エンクロージャ１０２を通ってシャトル１１２を推進することができる。直線移送システム１５０の好ましい実施形態は、マグネチックレビテーションシステム又は磁気浮上装置（「マグレブ（maglev）」）である。マグレブシステムは、磁石によりシャトル１１２を浮上させ、磁石は、ウェーハ搬送エンクロージャ１０２の内部又は外部に配置されたものであるのがよい。
マグレブシステムは、鋼製のレール上に鋼製の車輪を用いる従来型搬送システムと比べて多くの利点を奏する。マグネチックレビテーション対象物は案内路に接触しないので、マグレブシステムは、車輪付きビークルの主要な欠点、即ち高速における過度の振動及びレールの劣化を避けるために軌道の正確な位置合わせ状態を維持する場合に伴う高いコストを解決する。また、マグレブビークルが案内路に接触しないという事実は、他の利点、即ち、ほんの一例を挙げただけでも、早い加速及び制動、高い登坂能力、及び騒音の減少をもたらす。マグレブシステムは又、エネルギ効率が高い。
【００３０】
一実施形態では、シャトル１１２は、直線駆動コンポーネント１５２及び２つの案内コンポーネント１５４を有している。
図９は、マグレブシステムの別の実施形態を示している。この実施形態では、ウェーハ搬送エンクロージャ２０２は、二股状のエンクロージャである。ウェーハ搬送エンクロージャ２０２は、上側チャンバ２０４及び下側チャンバ２０６を有している。ウェーハ１３は、上側チャンバ２０４内を移動する。下側チャンバ２０６は、壁２０５によって上側チャンバ２０４から分離されている。以下に説明する理由で、壁２０５は好ましくは薄手のバリヤである。一例を挙げるに過ぎないが、上側チャンバ２０４内に維持される環境は、真空、窒素又は他のガスで満たされた環境から成るのがよい。上側チャンバ２０４が真空下にある場合、下側チャンバ２０６は好ましくは、壁２０５に加わる圧力を減少させるために或るレベルの真空下にある。
ウェーハシャトル２１２の一実施形態は、片持ちエンドエフェクタ支持体２３０に設けられたウェーハ支持体２１４を有している。好ましくは、ウェーハ支持体２１４は、ウェーハ１３をその底面に設けられたエクスクルージョン領域に沿って支持する。シャトル２１２は、その底部に設けられた多数の永久磁石２１６を更に有している。ウェーハシャトル２１２の他の形態は、本発明の精神及び範囲に含まれる。
【００３１】
駆動機構２２０が、下側チャンバ２０６内で移動する。一実施形態では、駆動機構２２０は、直線軸受支持体２２４に沿って移動する本体２２１を有している。回転駆動装置２２６が本体２２１に取り付けられている。磁石支持プラットホーム２２７が、回転駆動装置２２６に固定されている。磁石支持プラットホーム２２７は、磁石２２８を支持している。シャトル２１２のマグネチックレビテーションは、磁石２２８がシャトル２１２に設けられた永久磁石２１６と反発するので達成される。かくして、壁２０５は、永久磁石２１６と磁石２２８が磁気結合を形成できるほど薄いものでなければならない。
【００３２】
シャトル２１２は、駆動機構２２０によって下から浮上する。多くの従来型マグレブシステムとは異なり、この実施形態は、外部可動二輪車を必要としない。駆動機構２２０はこれとは異なり、漸変電気制御入力を備えた静止コイル要素２２２によって持上げられて推進させられる。回転駆動装置２２６は別として、マグレブシステムと関連した粒子発生部分が無く、しかも可動部分が無い。二股形態のウェーハ搬送エンクロージャ２０２内では、マグレブシステムは、シャトル２１２の受動的に安定した支持体となり、即ち、レビテーションのために制御フィードバックは不要である。シャトル２１２に設けられた永久磁石２１６と駆動機構２２０に設けられた永久磁石２２８は互いに磁気的に反発する。したがって、シャトル２１２は、同一極の反発力により持上げられるが、局所磁束密度が最小のトラフ又はポケット内に留まる。これにより、マグレブシステムは「フェールセーフ」となり、シャトル２１２の正確な制御が容易になる。ウェーハ搬送システム２００への動力が失われると、シャトルは停止部まで減速し、壁２０５の上方に浮上状態のままとなる。磁石による磁気的反発により、シャトル２１２は壁２０５に接触しない。制御フィードバック及びアクティブな電磁石を永久磁石と関連して用いるとシャトルレビテーションの硬直性を向上させると共にシャトル位置の制御を向上させることができる。
【００３３】
回転駆動装置２２６は、時計回り又は反時計回りの方向のいずれにも回転することができる。図１０は、シャトル２０２の永久磁石２１６と駆動機構２２０の永久磁石２２８との間の磁気結合の実施形態の平面図である。シャトル２０２の永久磁石２１６と駆動機構２２０の永久磁石２２８は常時、壁２０５によって分離されたままである。シャトル２０２の各永久磁石２１６の中心は好ましくは、円Ｃ内に位置している。円Ｃは、３つの永久磁石２２８の実質的に中心を通る連続した想像線によって定まる。したがって、回転駆動装置２２６が時計回りの方向（図１０で見て）に回転すると、磁石２１６，２２８相互間の磁気結合により、シャトル２１２は時計回りの方向に回転することになる。
片持ちエンドエフェクタ支持体２３０により、シャトル２１２は、ウェーハ１３をチャンバ１６内に挿入したりウェーハ１３をチャンバから取り出すことができる。シャトル２１２の直線運動と回転運動を、シャトル２１２もウェーハ１３もウェーハ搬送エンクロージャ２０２に接触しないように協調させる必要がある。図８Ｂは、片持ちエンドエフェクタ支持体２３０を備えたシャトル２１２の運動状態を示している。
【００３４】
図５〜図７は、マグレブシステム及びシャトルの別の実施形態を示している。この実施形態では、シャトルシステムは、直線駆動モータと、ウェーハ搬送エンクロージャ１０２内に設けられた位置及び速度検出装置とを利用している。シャトル１１２は、モジュール、ウェーハロックエンジン、ツール輸送部及び貯蔵部分のところで融通性を持ってドック入れされる。図７に示すように、リニア誘導モータ２２２及び位置センサ２２４は、リニア駆動装置コンポーネント２０６ａ，２０６ｂと磁気案内コンポーネント２０８ａ，２０８ｂとの間の安定した離隔距離を維持する。シャトル１１２がウェーハ搬送エンクロージャ１０２内で軌道に沿って進むと、電流が交互に各レビテーションコイル２２０を通り、常にコイルの磁極を変化させる。電流により、各レビテーションコイル２２０は、各磁石が通過するとその極性を変える（ＮからＳに、又ＳからＮに）。シャトルのマグネットがＮ−Ｓ又はＳ−Ｎの列を作ると、結果として前方への反発又は「プッシュ」が生じる。シャトル１１２を加速し又は減速させるためには、リニア誘導モータ２２２に供給させる電力を増大させ又は減少させる。これにより、磁気波がシャトル１１２の下を移動する速度が変化する。このシステムにより、シャトル１１２は空気のクッション上で動く。したがって、シャトル１１２は、軌道との摩擦による制限を受けない。シャトル１１２は又好ましくは、軽量材料から作られる。
【００３５】
直線搬送システム２００は、交番電流電磁石で構成された多数の交番電流電磁石列で構成されている。磁石は、シャトル直線駆動及び案内コンポーネント２０６ａ，２０８ａを反発させる。交互に配置された電磁石のこの列は、リニアモータとして機能する。リニアモータの両側には、モータの頂面からのウェーハレビテーション高さを検出する高さセンサが設けられており、更にシャトルの運搬速度を検出する位置センサが設けられている。磁束の変化により、渦電流が流れ、力をシャトル１１２に及ぼす。隔離された環境では、マグネチックレビテーションシステムは、粒子を生じさせず、移動中のウェーハの汚染を最小限に抑える。
図１１Ａ〜図１１Ｃは、デュアルレベルスライダ支持型マグレブシャトル搬送システム３００を示している。垂直方向に層状になった搬送トンネルの一利点は、シャトル３１２に双方向の運動を与えることにある。垂直方向に積み重ねられたシャトルレール３０４は、据付け面積の節約及び融通の効くウェーハ経路設定能力を提供する。また、レールを垂直方向に積み重ねることにより、シャトル３１２を層相互間で動かしてウェーハ搬送エンクロージャ３０２の端のところでの積み重ねを回避することができ、又ウェーハの動的経路設定が可能になる。ウェーハをランダムに計測又は点検ステーションに送ることができ、これは、互いに異なる設計（小さなロット）による処理シーケンスの変化に順応する。また、シャトル３０２を走行させることができる多数のレールを設けることにより、「ホットロット（hot lot ）」ウェーハによるバイパスが可能になる。
【００３６】
図９に示す実施形態と同様に、図１１Ａ〜図１１Ｃに示すこの変形実施形態は、シャトル３１２をもし万が一システムが動力を失ってもウェーハ搬送エンクロージャ３１２内の所定の垂直方向レベルに保持する受動的に安定した側部磁気レール３０４を有している。推進コイル３１４は、シャトル３１２が高速で動いている場合であってもフェールセーフ作動停止が可能であるようシャトル３１２の受動式動的制動のための停止条件では短くなっている。極めて高速のウェーハ搬送は、粒子を生じさせず又は妨害を受けないで真空中で可能である。
図１１Ｂは、第１の磁気レール３０４ａ及び第２の磁気レール３０４ｂを有するウェーハ搬送エンクロージャ３０２を示している。これらレールは、シャトル３１２によって支持されたウェーハ１３が通過の際にシャトル３１２ｂの邪魔にならないように互いに間隔を置いた状態で垂直方向「積み重ね状態」にある。ウェーハ搬送エンクロージャ３０２は、任意の数の磁気レール３０４を有することができる。各磁気レール３０４は、シャトル３１２が通過中のシャトル３１２の経路を塞がないように隣りの磁気レール３０４から単に離されるだけでよい。本質的には、単一のウェーハ搬送エンクロージャ３０２内の垂直方向積み重ね状態のレールは、シャトル３１２がウェーハ製造施設内全体に沿って移動できるハイウェイシステムを構成する。シャトル３１２は、ウェーハを実質的に水平又は垂直の向きで支持する任意の形態のものであってよく、かかるシャトルとしては、先に開示したシャトル２１２が挙げられる。
【００３７】
一例を挙げるに過ぎないが、埋め込み状態の磁気レール３０４により、単一のベロー型持上げ機構（図示せず）がシャトル３１２をレール３０４ａ，３０４ｂ相互間で垂直方向に昇降することができる。このシステムは、動的ウェーハ経路設定のためのレールジャンピングを構成する。開ループ及び推進が可能であり、それにより複雑且つ高価な位置フィードバック機構が不要になる。シャトル３１２がチャンバ１６相互間で移動している間における正確な運動は不要である。
しかしながら、シャトル３１２の正確な位置は、ウェーハが搬送されるウェーハ搬送エンクロージャ３０２のステーションのところでは必要である。例えばウェーハシャトル３１２がチャンバ１６の近くで停止すると、ウェーハ１３及びチャンバ１６内のロボットアームの位置を協調させてロボットアームがウェーハに係合してこれをチャンバ１６内に移送することができるようにしなければならない。これを達成するには幾つかの方法がある。一例を挙げるに過ぎないが、ピンによる位置合わせにより、必要ならばシャトル３１２を正確にステーションのところに位置決めすることができ、又は局所閉ループ制御をステーションのところで用いることができる。
【００３８】
ウェーハ移送システム３００の好ましい実施形態では、ウェーハ搬送エンクロージャ３０２の頂面３０３及び底面３０１は、搬送シャトル３１２によっては利用されない。これとは異なり、頂面３０３及び底面３０１は、ハンドオフアーム又はシャトル垂直持上げ機構によって占められる場合がある。
【００３９】
図１２Ａ及び図１２Ｂは、シャトル３１２が停止部に来ると、シャトル３１２の下で休止できる二軸ハンドオフアーム４００の一例を示している。作用を説明すると、二軸ハンドオフアーム４００は、垂直方向に上昇してウェーハ１３を持上げてシャトル３１２から放し、回転してウェーハ１３をチャンバ１６内に配置することができる。図１２Ａは、ウェーハシャトルの別の実施形態を示している。ウェーハシャトル４１２は、ハンドオフアーム４００がシャトル４１２の本体４０７を上方に通過し、ウェーハに係合し、ウェーハをシャトル４１２から取り出すことができるように形作られている。また、ハンドオフアーム４００は、ウェーハ１３をシャトル４１２上に置くことができる。作用を説明すると、ハンドオフアーム４００は、ウェーハ１３を下降させてウェーハ支持体４１３上に戻し、引き続きシャトル４１２の本体４０７を通って移動して、遂にはハンドオフアーム４００が待機位置に到達するようになる。待機位置は、シャトル４１２の下にあり、したがってシャトル４１２は、ハンドオフアーム４００が待機位置にあるとき、ハンドオフアーム４００上を通過することができるようになっている。
【００４０】
図１１Ｂは、側部磁気レール３０４が好ましくは、ウェーハ搬送エンクロージャ３０２の内壁に一体化されていることを示している。側部磁気レール３０４をウェーハ搬送エンクロージャ３０２の内部に取り付けることは本発明の精神及び範囲に含まれる。
好ましい実施形態では、シャトル３１２は、持上げ磁石３２２及び推進磁石３２４を有している。持上げ磁石３２２は、磁気レール３０４と磁気結合を形成してシャトル３１２を浮上させるようになっている。推進磁石３２４は、ウェーハ搬送エンクロージャ３０２内に設けられた推進コイル３１４の近くに配置されている。ウェーハシャトル３１２の推進は、推進コイル３１４により生じる磁力によりウェーハ搬送エンクロージャ３０２内で行われる。一例を挙げるに過ぎないが、３相リニアモータが、推進コイル３１４中に磁力を生じさせることができる。
ウェーハ搬送システム３００は、互いに異なる磁気レール３０４相互間でのシャトル３１２の垂直方向の移送に専用のウェーハ割り出しステーション（図示せず）を有するのがよい。開ループ又は閉ループ持上げ機構（図示せず）が、シャトル３１２を磁気レール３０４相互間で垂直方向に移動させることができる。
【００４１】
好ましくは、上述したウェーハ搬送システムのいずれも、ウェーハ１３がウェーハ移送システムを通って移動しているときにウェーハ１３に付けられた英数字番号又はバーコードを読み取る点検ステーションを有するのがよい。最も従来型の追跡システムは、ウェーハがそのエッジ上に設けられた英数字コード又はバーコードを有することを必要とする。英数字コード又はバーコードのいずれかを読み取るためには、ウェーハを回転させて英数字又はバーコードと既知の関連を持つ切欠きが見えるようにしなければならない。このプロセスでは、ウェーハをウェーハ搬送システム内で停止させる必要がある。ウェーハに付けられた識別マークを読み取る方法の一例が、ハインに付与された米国特許第５，８３１，７３８号明細書（発明の名称：APPARATUS AND METHOD FOR VIEWING IDENTIFICATION MARKS ON SEMICONDUCTOR WAFERS ）に開示されており、かかる米国特許明細書の記載内容を本明細書の一部を形成するものとしてここに引用する。
【００４２】
識別マークを読み取るだけのためにウェーハ１３をウェーハ搬送エンクロージャ１０２内で停止させないようにすることが望ましい。好ましい実施形態では、点検ステーションは、ウェーハ移送システム１００内の特定の経路設定及び貯蔵箇所のところでウェーハ識別を確認する検出装置を有する。一例を挙げるに過ぎないが、識別マークをウェーハの裏側の中心線上に配置するのがよい。ウェーハは、予備位置合わせを不要にした状態で識別を可能にする最新式のマーキング方式を利用することができ、かかる予備位置合わせは、現在のペリメータを利用する英数字コードでは必要である。変形例として、雪片マークをウェーハの裏側の中心に配置してもよい。かかるマークは、任意の角度で読み取り可能であり、ウェーハシャトル１１２を停止させる必要無く高い読み取りの一貫性を持っている。
【００４３】
本発明の好ましい実施形態についての上記説明は、あくまで説明を目的としたものである。網羅的では無く、或いは本発明を開示した形態そのものに限定するものではない。当業者であれば多くの改造例及び変形例を想到できることは明らかである。上記実施形態を本発明の原理及びその用途の最良の説明のために選択して説明し、それにより当業者は本発明を種々の実施形態で且つ計画された特定の用途に合う種々の設計変形を施した状態で実施できる。本発明の範囲は特許請求の範囲の記載及びその均等範囲によって定められる。
【図面の簡単な説明】
【００４４】
【図１】ウェーハをウェーハ製造施設内全体にわたり搬送する従来型コンベアシステムの平面図である。
【図２】従来型自動化材料取扱いシステムの一例の斜視図である。
【図３】図２に示す自動化材料取扱いシステムに従ってＳＭＩＦポッドを搬送する従来型コンベアシステムの斜視図である。
【図４】本発明の実施形態の平面図である。
【図５】本発明のウェーハ搬送エンクロージャの第１の実施形態の斜視図である。
【図６Ａ】本発明の一実施形態の正面図であり、ウェーハを処理ツール内に垂直方向に移送するウェーハ移送機構を示す図である。
【図６Ｂ】本発明の一実施形態の正面図であり、ウェーハ搬送エンクロージャ内に配置されたウェーハ移送機構を示す図である。
【図６Ｃ】本発明の一実施形態の正面図であり、処理ツール内に配置されたウェーハ移送機構を示す図である。
【図６Ｄ】本発明の一実施形態の正面図であり、移行チャンバ内に配置されたウェーハ移送機構を示す図である。
【図６Ｅ】本発明の一実施形態の正面図であり、ウェーハ搬送エンクロージャ内に配置され、ウェーハを頂部から掴むウェーハ移送機構を示す図である。
【図７】本発明の一実施形態の正面図であり、ウェーハシャトルをウェーハ搬送エンクロージャに沿って推進するマグネチックレビテーションシステムの実施形態を示す図である。
【図８Ａ】マグネチックレビテーションウェーハ取扱い装置の一実施形態の平面図である。
【図８Ｂ】図８Ａに示すウェーハ取扱い装置を作動状態で示す図である。
【図９】二股の真空領域を備えたウェーハ搬送エンクロージャの一実施形態の断面正面図である。
【図１０】本発明の永久磁石構造の一実施形態の略図である。
【図１１Ａ】デュアルレベル側部支持型マグネチックレビテーション搬送システムの一実施形態の平面図である。
【図１１Ｂ】図１１Ａに示すデュアルレベル側部支持型マグネチックレビテーション搬送システムの断面正面図である。
【図１１Ｃ】図１１Ｂに示す断面Ｃの領域図である。
【図１２Ａ】本発明の別の実施形態の平面図である。
【図１２Ｂ】ウェーハ取扱い装置の一実施形態の平面図であり、ウェーハ取扱い装置の動作範囲を示す図である。
【図１】
2005508085.tif 000003
【図４】
2005508085.tif 000004
【図８Ａ】
2005508085.tif 000005
【図９】
2005508085.tif 000006
【図１１Ａ】
2005508085.tif 000007
【図１１Ｂ】
2005508085.tif 000008
【図１１Ｃ】
2005508085.tif 000009
【国際公開パンフレット】
2005508085.tif 000010
2005508085.tif 000011
2005508085.tif 000012
2005508085.tif 000013
2005508085.tif 000014
2005508085.tif 000015
2005508085.tif 000016
2005508085.tif 000017
2005508085.tif 000018
2005508085.tif 000019
2005508085.tif 000020
2005508085.tif 000021
2005508085.tif 000022
2005508085.tif 000023
2005508085.tif 000024
2005508085.tif 000025
2005508085.tif 000026
2005508085.tif 000027
2005508085.tif 000028
2005508085.tif 000029
2005508085.tif 000030
2005508085.tif 000031
2005508085.tif 000032
2005508085.tif 000033
2005508085.tif 000034
2005508085.tif 000035
2005508085.tif 000036
2005508085.tif 000037
2005508085.tif 000038
2005508085.tif 000039
2005508085.tif 000040
2005508085.tif 000041
2005508085.tif 000042
2005508085.tif 000043
2005508085.tif 000044
2005508085.tif 000045
2005508085.tif 000046
2005508085.tif 000047
2005508085.tif 000048
2005508085.tif 000049
2005508085.tif 000050
2005508085.tif 000051
2005508085.tif 000052
2005508085.tif 000053
2005508085.tif 000054
【国際公開パンフレット（コレクトバージョン）】
2005508085.tif 000055
2005508085.tif 000056
【国際公開パンフレット（コレクトバージョン）】
2005508085.tif 000057
2005508085.tif 000058
2005508085.tif 000059
2005508085.tif 000060
2005508085.tif 000061
2005508085.tif 000062
2005508085.tif 000063
2005508085.tif 000064
2005508085.tif 000065
2005508085.tif 000066
2005508085.tif 000067
2005508085.tif 000068
2005508085.tif 000069
2005508085.tif 000070
2005508085.tif 000071
2005508085.tif 000072
2005508085.tif 000073
2005508085.tif 000074
2005508085.tif 000075
2005508085.tif 000076
2005508085.tif 000077
2005508085.tif 000078
2005508085.tif 000079
2005508085.tif 000080
2005508085.tif 000081
2005508085.tif 000082
2005508085.tif 000083
2005508085.tif 000084
2005508085.tif 000085
2005508085.tif 000086
2005508085.tif 000087
2005508085.tif 000088
2005508085.tif 000089
2005508085.tif 000090
2005508085.tif 000091
2005508085.tif 000092
2005508085.tif 000093
2005508085.tif 000094
2005508085.tif 000095
2005508085.tif 000096
2005508085.tif 000097
2005508085.tif 000098
2005508085.tif 000099
2005508085.tif 000100
【国際調査報告】
2005508085.tif 000101
2005508085.tif 000102